(57)【要約】【課題】  プレート部を有する装飾品の表面に、レンズ部を、任意の形に、かつ、簡単に形成できるようにして、プレート部に貼り付けた写真等の一部分を強調することやデコレーションを施すことにより新しいデザインをすることができて、意匠的価値の向上を図れるようにする。【解決手段】  プレート部１の面上に写真２又は絵柄を貼り付け、その上に透明なコーティング層３を設ける。そして、そのコーティング層３の上の適宜の位置に、適宜の形状に型抜きした透明フィルム４，５を貼り付け、該透明フィルム４，５の上に硬化性の透明樹脂６を滴下して山盛り状に形成する。【選択図】        図１
2008264275.tif 000002
【特許請求の範囲】
【請求項１】
プレート部の面上に貼り付けた写真又は絵柄の上に透明なコーティング層を設け、その上の適宜の位置に、適宜の形状に型抜きした透明フィルムを貼り付け、該透明フィルムの上に硬化性の透明樹脂を山盛り状に設けたことを特徴とする装飾品。
【請求項２】
プレート部の面上に写真又は絵柄を貼り付ける工程と、該写真又は絵柄の上に透明なコーティング層を設ける工程と、該コーティング層の上の適宜の位置に、適宜の形状に型抜きした透明フィルムを貼り付ける工程と、該透明フィルムの上に硬化性の透明樹脂を山盛り状に滴下して硬化させる工程とを有することを特徴とする装飾品の製造方法。
【発明の詳細な説明】
【技術分野】
【０００１】
本発明は、キーホルダ，携帯ストラップ，ブローチ，メダル，ネクタイピン等の装飾品、特に、金属製あるいは樹脂製のプレートを有しており、そのプレートの表面に写真，絵柄等を貼り付け、その上にコーティングを施した装飾品及びその製造方法に関するものである。
【背景技術】
【０００２】
近年、キーホルダ，携帯ストラップ，ブローチ，メダル，ネクタイピン等の装飾品として、自分好みのオリジナルなものとして、プレート部に自分の好きな写真や絵柄等を貼り付けるタイプのものがある。例えば、図４に示すようなキーホルダの場合、そのプレート部１の表面に写真等を貼り付けることにより、オリジナルなキーホルダとして仕上げることができる。
【０００３】
そのような装飾品として、例えば、特許文献１には、台座に写真を貼り付け、その上から光硬化性樹脂を塗ったキーホルダが示されている。このようにすれば、自分好みのオリジナルな装飾品が得られる。
【０００４】
また、特許文献２には、装飾品本体の上面凸縁内に写真等を貼り付け、その上に透明樹脂を盛り上がり状に流して硬化させ、それによりレンズ部を形成して、意匠的効果を高めるようにした装飾品が示されている。
【特許文献１】登録実用新案第３０３９４７８号公報
【特許文献２】実公昭４５−２８３９２号公報
【発明の開示】
【発明が解決しようとする課題】
【０００５】
しかしながら、特許文献１に示されるものでは、単に、台座に写真を貼り付け、その上に樹脂層を形成しただけなので、十分な意匠的効果が得られないという問題点があった。その点、特許文献２に示されるものでは、表面の透明樹脂よりなるレンズ部により多少意匠的効果を高めることはできるが、装飾品本体の上面周縁に凸縁を形成する必要があって、製造に手間が掛かる上、レンズ部は、写真等を全体的に拡大するだけなので、意匠的価値の向上は限られるという問題点があった。
【０００６】
本発明は、そのような問題点に鑑み、プレート部を有する装飾品の表面に、レンズ部を、任意の形に、かつ、簡単に形成できるようにして、プレート部に貼り付けた写真等の一部分を強調することと、デコレーション（多種多様なサイズや形の装飾のこと、以下「デコレーション」と表現する）を施すことにより、多彩なデザインをすることができて、意匠的価値の向上を図れるようにすることを目的とするものである。
【課題を解決するための手段】
【０００７】
前記課題を解決するため、本願の請求項１にかかる装飾品の発明は、プレート部の面上に貼り付けた写真又は絵柄の上に透明なコーティング層を設け、その上の適宜の位置に、適宜の形状に型抜きした透明フィルムを貼り付け、該透明フィルムの上に硬化性の透明樹脂を山盛り状に設けたことを特徴とする。
【０００８】
また、本願の請求項２にかかる装飾品の製造方法の発明は、プレート部の面上に写真又は絵柄を貼り付ける工程と、該写真又は絵柄の上に透明なコーティング層を設ける工程と、該コーティング層の上の適宜の位置に、適宜の形状に型抜きした透明フィルムを貼り付ける工程と、該透明フィルムの上に硬化性の透明樹脂を山盛り状に滴下して硬化させる工程とを有することを特徴とする。
【発明の効果】
【０００９】
本発明の装飾品及び装飾品の製造方法は、次のような効果を奏する。
すなわち、請求項１にかかる発明においては、プレート部の面上に貼り付けた写真等の上に透明なコーティング層を設け、その上の適宜の位置に、適宜の形状に型抜きした透明フィルムを貼り付け、該透明フィルムの上に硬化性の透明樹脂を山盛り状に設けてレンズ部とした。その結果、レンズ部を、任意の形に、かつ、簡単に形成できて、プレート部に貼り付けた写真等の一部分を強調することができ、デコレーションによるデザイン機能も併せ持ち、意匠的価値の向上を図れる。
【００１０】
また、請求項２にかかる発明においては、プレート部の面上に写真等を貼り付け、該写真等の上に透明なコーティング層を設け、該コーティング層の上の適宜の位置に、適宜の形状に型抜きした透明フィルムを貼り付け、該透明フィルムの上に硬化性の透明樹脂を山盛り状に滴下して硬化させるようにした。その結果、プレート部に貼り付けた写真等の一部分を強調することやデコレーションを施すことができて、意匠的価値の向上を図れるように、レンズ部を、任意の形に、かつ、簡単に形成できる。
【発明を実施するための最良の形態】
【００１１】
以下、本発明の実施例を図面に基づいて詳細に説明する。
【実施例】
【００１２】
図１は、本発明の一実施例に係る装飾品のプレート部を示し、図１（イ）は平面図、図１（ロ）はそのＡ−Ａ断面図であり、図２は、型抜きしたフィルムの一例を示す図である。図１，図２において、１はキーホルダ，携帯ストラップ，ブローチ，メダル，ネクタイピン等の装飾品のプレート部、２は写真、３はコーティング層、４，５，７，９はフィルム、６はレンズ部、８，１０は樹脂層である。
【００１３】
金属製、あるいは、樹脂製の任意の形状をした板状体であるプレート部１の上面に写真２を貼り付け、その上に透明樹脂、例えば、エポキシ樹脂を塗った後硬化させたコーティング層３を設ける。その上の適宜の位置、例えば、特定の人の画像の上に、星形，ハート形等、適宜の形状に型抜きした透明なフィルム４，５を貼り付け、該フィルム４，５の上に硬化性の透明樹脂を滴下し、表面張力により表面なめらかな山盛り状にして硬化させ、レンズ部６を形成している。そのレンズ部６により、写真の一部分を強調することができる。
【００１４】
また、写真の一部分を強調すること以外に、デコレーションとして、各種形状の樹脂層８，１０を設けることもできる。すなわち、コーティング層３の上に任意の形状に型抜きしたフィルム７を貼り付け、その上に硬化性の樹脂を滴下し、表面張力により表面なめらかな山盛り状にして硬化させ、デコレーションとしての樹脂層８を設けることができる。さらに、樹脂層８の上に任意の形状に型抜きしたフィルム９を貼り付け、それらの上に硬化性の樹脂を滴下し、樹脂層１０を設けることもできる。この場合、フィルム７，９及び硬化性の樹脂は、必ずしも透明でなくてもよい。例えば、フィルム７，９としてプリズムフィルムやホログラフィフィルムを用い、その上に透明樹脂で樹脂層８，１０を設ければ、高い装飾効果が得られる。
【００１５】
次に、図１に示す装飾品の製造方法を説明する。図３は、本発明の一実施例に係る装飾品の製造方法を示す図である。図３において、１１は透明樹脂、１２は透明樹脂滴下用のノズルである。
【００１６】
プレート部１の表面に、写真２を貼り付け（図３（イ））、その上からプレート部１の表面全体に透明樹脂、例えば、エポキシ樹脂を塗った後硬化させてコーティング層３を形成する（図３（ロ））。
【００１７】
そのようにコーティング層３を形成した後、コーティング層３の下の写真２の画像の内、特に強調したい部分に、コーティング層３の上から透明なフィルム４，５、例えば塩化ビニルのフィルムを、適宜な形に型抜きして貼り付ける（図３（ハ））。その際、フィルムとして予め裏面に接着剤層を有するものを用いれば、作業が容易になる。
【００１８】
そして、フィルム４，５の上に、ノズル１２等を用いて、硬化性の透明樹脂１１、例えば、エポキシ樹脂を滴下する（図３（ニ））。その時、滴下した透明樹脂は、表面張力により、フィルム４，５の上で、表面がなめらかで山盛り状になった状態で硬化する。その結果、フィルム４，５の形に沿った形状のレンズ部６，６が形成される。
【００１９】
また、コーティング層３の上の適宜位置、例えば、プレート部１の外周部に、デコレーションを施すためのリング状のフィルム７（図２参照）を貼り付ける（図３（ニ））。そして、そのフィルム７の上に硬化性の樹脂を滴下して、表面がなめらかで山盛り状になった状態で硬化させて、樹脂層８を形成する（図３（ホ））。
【００２０】
さらに、樹脂層８の上に、デコレーションを施すため、複数の様々な大きさの円形フィルム９（図２参照）を、適宜の配置で貼り付け、そのフィルム９の上に硬化性の樹脂を滴下して、表面がなめらかで山盛り状になった状態で硬化させて、樹脂層１０を形成する（図３（ヘ））。
【図面の簡単な説明】
【００２１】
【図１】本発明の一実施例に係る装飾品のプレート部を示す図である。
【図２】型抜きしたフィルムの一例を示す図である。
【図３】本発明の一実施例に係る装飾品の製造方法を示す図である。
【図４】装飾品の一例を示す図である。
【符号の説明】
【００２２】
１…プレート部
２…写真
３…コーティング層
４，５，７，９…フィルム
６…レンズ部
８，１０…樹脂層
１１…透明樹脂
１２…ノズル
【図１】
2008264275.tif 000003
【図２】
2008264275.tif 000004
【図３】
2008264275.tif 000005
【図４】
2008264275.tif 000006